(57)【要約】【課題】斜め方向からの個人情報等の漏洩を好適に防止することができ、かつ正面輝度の低下を抑制することができる視野角制限シート及びこの視野角制限シートを備えるフラットパネルディスプレイの提供を目的とする。【解決手段】本発明の視野角制限シートは、多条状に配設される複数の断面矩形の第一光透過部と、上記第一光透過部同士の間に配設される断面矩形の第二光透過部とを有する光学機能層を備え、互いに対面する第一光透過部の側面及び第二光透過部の側面の少なくとも一方の側面が、微細凹凸形状を有する光散乱面として形成されている。上記光散乱面の算術平均粗さ（Ｒａ）が１．５μｍ以上４μｍ以下であるとよい。上記光散乱面の十点平均粗さ（Ｒｚ）と算術平均粗さ（Ｒａ）との比（Ｒｚ／Ｒａ）が１以上２０以下であるとよい。【選択図】図１
2013228713.tif 000002
【特許請求の範囲】
【請求項１】
多条状に配設される複数の断面矩形の第一光透過部と、上記第一光透過部同士の間に配設される断面矩形の第二光透過部とを有する光学機能層を備え、
互いに対面する第一光透過部の側面及び第二光透過部の側面の少なくとも一方の側面が、微細凹凸形状を有する光散乱面として形成されている視野角制限シート。
【請求項２】
上記光散乱面の算術平均粗さ（Ｒａ）が１．５μｍ以上４μｍ以下である請求項１に記載の視野角制限シート。
【請求項３】
上記光散乱面の十点平均粗さ（Ｒｚ）と算術平均粗さ（Ｒａ）との比（Ｒｚ／Ｒａ）が１以上２０以下である請求項１又は請求項２に記載の視野角制限シート。
【請求項４】
上記光散乱面が、光散乱面の垂直方向単位長さあたり２個／ｍｍ以上１００個／ｍｍ以下設けられている請求項１、請求項２又は請求項３に記載の視野角制限シート。
【請求項５】
上記第一光透過部又は上記第二光透過部の少なくとも一方のヘイズ値が、２０％以下であり、上記ヘイズ値を有する光透過部の幅（Ｗ）に対する厚み（Ｔ）の比(Ｔ／Ｗ)が１以上８．５以下である請求項１から請求項４のいずれか１項に記載の視野角制限シート。
【請求項６】
上記第一光透過部の屈折率（ｎ１）と上記第二光透過部の屈折率（ｎ２）とが相違している請求項１から請求項５のいずれか１項に記載の視野角制限シート。
【請求項７】
上記第一光透過部の屈折率（ｎ１）と上記第二光透過部の屈折率（ｎ２）との差の絶対値（｜ｎ１−ｎ２｜）が０．１５以上である請求項６に記載の視野角制限シート。
【請求項８】
上記第一光透過部の側面と上記第二光透過部の側面とが密接している請求項６又は請求項７に記載の視野角制限シート。
【請求項９】
上記第一光透過部が、光拡散剤と、樹脂製マトリックスとを有している請求項１から請求項８のいずれか１項に記載の視野角制限シート。
【請求項１０】
上記第二光透過部の幅（Ｗ２）の上記第一光透過部の幅（Ｗ１）に対する比（Ｗ２／Ｗ１）が１．５以上１５以下である請求項９に記載の視野角制限シート。
【請求項１１】
上記第一光透過部の幅（Ｗ１）に対する厚み（Ｔ１）の比（Ｔ１／Ｗ１）が４以上４０以下である請求項９又は請求項１０に記載の視野角制限シート。
【請求項１２】
上記第一光透過部同士の配設幅が６μｍ以上４００μｍ以下である請求項９、請求項１０又は請求項１１に記載の視野角制限シート。
【請求項１３】
上記第一光透過部の樹脂製マトリックスの屈折率（ｎ５）が上記第二光透過部の屈折率（ｎ２）よりも大きい請求項９から請求項１２のいずれか１項に記載の視野角制限シート。
【請求項１４】
上記光学機能層の表面が面一である請求項１から請求項１３のいずれか１項に記載の視野角制限シート。
【請求項１５】
上記光学機能層の裏面が面一である請求項１から請求項１４のいずれか１項に記載の視野角制限シート。
【請求項１６】
上記光学機能層の一方の面側に形成される保護層を有する請求項１から請求項１５のいずれか１項に記載の視野角制限シート。
【請求項１７】
フラットパネルディスプレイの表示パネルの表面側に配設される請求項１から請求項１６のいずれか１項に記載の視野角制限シート。
【請求項１８】
請求項１７に記載の視野角制限シートを備えるフラットパネルディスプレイ。
【発明の詳細な説明】
【技術分野】
【０００１】
本発明は、視野角制限シート及びフラットパネルディスプレイに関する。
【背景技術】
【０００２】
フラットパネルディスプレイは、携帯電話、携帯情報端末（ＰＤＡ）、パーソナルコンピュータ、テレビなどの情報用表示デバイスとして多用されている。
【０００３】
このようなフラットパネルディスプレイは、例えば携帯電話や携帯情報端末についていえば、所望の場所で必要な情報を得ることができる等の利点を有する。しかしながら、かかる携帯電話や携帯情報端末に表示される画像は、場所によってはユーザ以外の第三者からも覗き見されるおそれが高く、個人情報漏洩等のプライバシー上の問題を抱えている。
【０００４】
また、フラットパネルディスプレイとしては、ユーザの操作容易性、迅速性等を向上させるべくタッチパネルが搭載されているものもある。かかるタッチパネルが搭載されたフラットパネルディスプレイは、例えば銀行のＡＴＭ等に用いられているが、ユーザがタッチパネルを介して暗証番号や個人情報を入力した際に第三者から覗き見されると、このような情報が悪用されるおそれがある。
【０００５】
このような問題に鑑み、今日では、視野角を制限することで第三者による覗き見を防止することができる視野角制限シートが発案されている（特開２０１０−２２３９９６号公報参照）。
【０００６】
この視野角制御光学シートは、表示画面に狭い視野角を与える第１領域と、表示画面に広い視野角を与える第２領域とを有している。この視野角制御光学シートは、上記第一領域が、光透過性材料からなる光透過部分と光吸収材料からなる光吸収部分とを交互に配置していることを特徴としている。この視野角制御光学シートは、垂直方向の光を中心とした一定の角度範囲の光を取り出すとともに、斜め方向の光を光吸収部分で吸収することができるので、第三者による斜め方向からの覗き見を防止することができる。しかしながら、この視野角制御光学シートは、光吸収部分が一定間隔で配置されているため、正面輝度の低下を招きやすいという問題を有している。
【先行技術文献】
【特許文献】
【０００７】
【特許文献１】特開２０１０−２２３９９６号公報
【発明の概要】
【発明が解決しようとする課題】
【０００８】
本発明は、このような事情に鑑みてなされたものであり、斜め方向からの個人情報等の漏洩を好適に防止することができるとともに、正面輝度の低下を抑制することができる視野角制限シート及びこの視野角制限シートを備えるフラットパネルディスプレイの提供を目的とするものである。
【課題を解決するための手段】
【０００９】
上記課題を解決するためになされた発明は、
多条状に配設される複数の断面矩形の第一光透過部と、上記第一光透過部同士の間に配設される断面矩形の第二光透過部とを有する光学機能層を備え、
互いに対面する第一光透過部の側面及び第二光透過部の側面の少なくとも一方の側面が、微細凹凸形状を有する光散乱面として形成されている視野角制限シートである。
【００１０】
当該視野角制限シートは、第一光透過部と、第一光透過部同士の間に配設される第二光透過部とを有し、互いに対面する第一光透過部の側面及び第二光透過部の側面の少なくとも一方の側面が光散乱面として形成されているので、裏面側から所定の角度で入射された光線を上記光散乱面によって拡散させたうえで出射させることができる。一方、当該視野角制限シートは、裏面側から第一光透過部又は第二光透過部に対して略垂直に入射された光線については光学機能層の表面側から略垂直に出射させることができる。従って、当該視野角制限シートは、正面方向からの視認者（ユーザ）に対しては鮮明な画像を表示させることができるとともに、斜め方向からの視認者に対しては表示される画像をぼやけさせることで個人情報等の漏洩を防止することができる。当該視野角制限シートは、裏面側から所定の角度で入射された光線を光散乱面によって拡散させることで個人情報等の漏洩を防止するものであるから、正面輝度の低下を抑制することができる。
【００１１】
当該視野角制限シートは、上記光散乱面の算術平均粗さ（Ｒａ）が１．５μｍ以上４μｍ以下であるとよい。これにより、光散乱面によって光線を好適に拡散させることができる。
【００１２】
当該視野角制限シートは、上記光散乱面の十点平均粗さ（Ｒｚ）と算術平均粗さ（Ｒａ）との比（Ｒｚ／Ｒａ）が１以上２０以下であるとよい。これにより、微細凹凸形状のムラを低減し、光拡散性を向上させることができる。
【００１３】
当該視野角制限シートは、上記光散乱面が、光散乱面の垂直方向単位長さあたり２個／ｍｍ以上１００個／ｍｍ以下設けられているとよい。これにより、視野角を好適に調整することができるとともに、斜め方向からの個人情報等の漏洩を好適に防止することができる。
【００１４】
当該視野角制限シートは、上記第一光透過部又は上記第二光透過部の少なくとも一方のヘイズ値が、２０％以下であり、上記ヘイズ値を有する光透過部の幅（Ｗ）に対する厚み（Ｔ）の比(Ｔ／Ｗ)が１以上８．５以下であるとよい。これにより、上記ヘイズ値を有する光透過部を透過する光線によって、正面輝度を向上させることができるとともに、視野角を好適に調整することができる。
【００１５】
当該視野角制限シートは、上記第一光透過部の屈折率（ｎ１）と上記第二光透過部の屈折率（ｎ２）とが相違しているとよい。これにより、光散乱面によって光線を好適に拡散させることができる。
【００１６】
当該視野角制限シートは、上記第一光透過部の屈折率（ｎ１）と上記第二光透過部の屈折率（ｎ２）との差の絶対値（｜ｎ１−ｎ２｜）が０．１５以上であるとよい。これにより、光散乱面によって光線をさらに好適に拡散させることができる。
【００１７】
当該視野角制限シートは、上記第一光透過部の側面と上記第二光透過部の側面とが密接しているとよい。これにより、正面方向の画像の鮮明度及び斜め方向の画像のぼやけ度を好適に制御することができる。
【００１８】
当該視野角制限シートは、上記第一光透過部が、光拡散剤と、樹脂製マトリックスとを有しているとよい。これにより、第一光透過部による光拡散性を著しく向上させることができる。
【００１９】
当該視野角制限シートは、第一光透過部が光拡散剤と樹脂製マトリックスとを有し、上記第二光透過部の幅（Ｗ２）の上記第一光透過部の幅（Ｗ１）に対する比（Ｗ２／Ｗ１）が１．５以上１５以下であるとよい。これにより、正面方向からの視認者に対して鮮明な画像を表示させるとともに、斜め方向からの個人情報等の漏洩を好適に防止することができる。
【００２０】
当該視野角制限シートは、第一光透過部が光拡散剤と樹脂製マトリックスとを有し、上記第一光透過部の幅（Ｗ１）に対する厚み（Ｔ１）の比（Ｔ１／Ｗ１）が４以上４０以下であるとよい。これにより、正面方向からの視認者に対して鮮明な画像を表示させるとともに、斜め方向からの個人情報等の漏洩を好適に防止することができる。
【００２１】
当該視野角制限シートは、第一光透過部が光拡散剤と樹脂製マトリックスとを有し、上記第一光透過部同士の配設幅が６μｍ以上４００μｍ以下であるとよい。これにより、正面方向からの視認者に対して鮮明な画像を表示させるとともに、斜め方向からの個人情報等の漏洩を好適に防止することができる。
【００２２】
当該視野角制限シートは、上記第一光透過部の樹脂製マトリックスの屈折率（ｎ５）が上記第二光透過部の屈折率（ｎ２）よりも大きいとよい。これにより、正面方向からの視認者に対して表示される画像の鮮明度を向上させることができる。
【００２３】
当該視野角制限シートは、上記光学機能層の表面が面一であるとよい。これにより、出射光線を容易に制御することができる。また、当該視野角制限シートは、光学機能層の厚みを一定に保ち、使用性及び光学的均一性を向上させることができる。
【００２４】
当該視野角制限シートは、上記光学機能層の裏面が面一であるとよい。これにより、入射光線を容易に制御することができる。また、当該視野角制限シートは、光学機能層の厚みを一定に保ち、使用性及び光学的均一性を向上させることができる。
【００２５】
当該視野角制限シートは、上記光学機能層の一方の面側に形成される保護層を有するとよい。これにより、強度、形状安定性等を向上させることができる。
【００２６】
当該視野角制限シートは、フラットパネルディスプレイの表示パネルの表面側に配設されるとよい。これにより、正面方向からの視認者に対して鮮明な画像を表示させるとともに、斜め方向からの個人情報等の漏洩を好適に防止することができる。
【００２７】
また、上記課題を解決するためになされたフラットパネルディスプレイは、
当該視野角制限シートを備えるフラットパネルディスプレイである。
【００２８】
当該フラットパネルディスプレイは、当該視野角制限シートの裏面側から所定の角度で入射された光線を光散乱面によって拡散させたうえで出射させることができる。一方、当該フラットパネルディスプレイは、当該視野角制限シートの裏面側から第一光透過部又は第二光透過部に対して略垂直に入射された光線については光学機能層の表面側から略垂直に出射させることができる。従って、当該フラットパネルディスプレイは、正面方向からの視認者（ユーザ）に対しては鮮明な画像を表示させることができるとともに、斜め方向からの視認者に対しては表示される画像をぼやけさせることで個人情報等の漏洩を防止することができる。
【００２９】
なお、本発明において、「算術平均粗さ（Ｒａ）」及び「十点平均粗さ（Ｒｚ）」は、ＪＩＳ  Ｂ０６０１−２００１に準じた値である。「幅」とは、長手方向と垂直であってかつシートの厚み方向と垂直な方向の平均長さを意味する。また、「厚み」とは、ＪＩＳ  Ｋ７１３０に準じて測定した平均厚さをいう。「ヘイズ値」とは、ＪＩＳ  Ｋ７１０５に準拠して測定された値を意味する。「表面側」とは、フラットパネルディスプレイにおける視認者側を意味し、「裏面側」とは、その反対側を意味するものとする。
【発明の効果】
【００３０】
以上説明したように、本発明の視野角制限シート及びこの視野角制限シートを備えるフラットパネルディスプレイは、斜め方向からの個人情報等の漏洩を好適に防止することができるとともに、正面輝度の低下を抑制することができる。
【図面の簡単な説明】
【００３１】
【図１】本発明の一実施形態に係る視野角制限シートを示す模式的断面図である。
【図２】図１の視野角制限シートに対して裏面側から入射した光線の拡散作用を示す図である。
【図３】図１の視野角制限シートとは異なる形態に係る視野角制限シートを示す模式的断面図である。
【図４】本発明の一実施形態に係るタッチパネルを示す模式的断面図である。
【図５】図４のタッチパネルとは異なる形態に係るタッチパネルを示す模式的断面図である。
【発明を実施するための形態】
【００３２】
［第一実施形態］
〈視野角制限シート１〉
以下、適宜図面を参照しつつ、本発明の実施の形態を詳説する。
【００３３】
図１の視野角制限シート１は、光学機能層２と、保護層３とを有している。
【００３４】
（光学機能層２）
光学機能層２は、多条状に配設される複数の断面矩形の第一光透過部４と、多条状に配設される複数の断面矩形の第二光透過部５とを有している。光学機能層２は、第一光透過部４が間隔をおいて略平行に配設され、第一光透過部４同士の間に第二光透過部５が配設されている。光学機能層２において、第一光透過部４の幅（Ｗ１）は第二光透過部５の幅（Ｗ２）よりも小さく形成されている。光学機能層２の表面及び裏面は、面一に形成されている。光学機能層２は、第一光透過部４の側面と第二光透過部５の側面とが密接して形成されている。
【００３５】
光学機能層２の厚みとしては、特に限定されないが、５０μｍ以上４００μｍ以下が好ましい。光学機能層２の厚みの上限値は、３００μｍがより好ましく、２００μｍがさらに好ましい。一方、光学機能層２の厚みの下限値は、１００μｍがより好ましく、１５０μｍがさらに好ましい。光学機能層２の厚みが上限値を超える場合、光線透過性が低下するおそれがあるとともに、当該視野角制限シート１の薄型化の要求に反するおそれがある。逆に、光学機能層２の厚みが上記下限値未満である場合、裏面側から入射される光線に対する制御性が低下するおそれが高くなる。
【００３６】
（第一光透過部４）
第一光透過部４は、光線を透過させる必要があるので透明、特に無色透明の合成樹脂を主成分として形成されている。第一光透過部４の主成分の合成樹脂としては、特に限定されるものではないが、熱可塑性樹脂が好適に用いられる。第一光透過部４の主成分として用いられる熱可塑性樹脂としては、例えば、ポリエチレンテレフタレート、ポリエチレンナフタレート、アクリル樹脂、ポリカーボネート、ポリスチレン、ポリオレフィン、セルロースアセテート、耐候性塩化ビニルが挙げられる。なかでも第一光透過部４の主成分としては、透明性、強度が高く、複屈折性の制御が容易なポリエチレンテレフタレート又はポリカーボネートが好ましく、撓み性能が改善されたポリエチレンテレフタレートが特に好ましい。
【００３７】
また、第一光透過部４の主成分としては、活性エネルギー線硬化型樹脂も用いられる。第一光透過部４の主成分として活性エネルギー線硬化型樹脂が用いられる場合、所定の形状精度を得やすく、また物理的強度を高めて傷付き防止性を向上させ、光学特性の変化を防ぐことができる。第一光透過部４の主成分として好適に用いられる活性エネルギー線硬化型樹脂としては、紫外線硬化型樹脂が挙げられる。
【００３８】
上記紫外線硬化型樹脂としては、例えば、紫外線硬化型ウレタンアクリレート系樹脂、紫外線硬化型ポリエステルアクリレート系樹脂、紫外線硬化型エポキシアクリレート系樹脂、紫外線硬化型ポリオールアクリレート系樹脂、紫外線硬化型エポキシ樹脂が挙げられ、なかでも紫外線硬化型アクリレート系樹脂が好ましい。
【００３９】
第一光透過部４の主成分が紫外線硬化型樹脂である場合、光重合開始剤が併用されるのが好ましい。かかる光重合開始剤としては、例えば、ベンゾイン及びその誘導体、アセトフェノン、ベンゾフェノン、ヒドロキシベンゾフェノン、ミヒラーズケトン、α−アミロキシムエステル、チオキサントン等並びにこれらの誘導体を挙げることができる。
【００４０】
上記光重合開始剤の含有量としては、特に限定されないが、紫外線硬化型樹脂に対して１質量％以上１０質量％以下が好ましく、３質量％以上６質量％以下がより好ましい。光重合開始剤の含有量が上記上限を超える場合、紫外線硬化型樹脂の重合度が低下するおそれがある。逆に、光重合開始剤の含有量が上記下限未満である場合、十分に硬化反応が進行しないおそれがある。
【００４１】
なお、第一光透過部４には、必要に応じて、硬化剤、可塑剤、分散剤、各種レベリング剤、紫外線吸収剤、抗酸化剤、粘性改質剤、潤滑剤、光安定化剤等の添加剤が適宜配合されてもよい。
【００４２】
第一光透過部４は、第二光透過部５に面する側面が微細凹凸形状を有する光散乱面として形成されている。第一光透過部４に形成される上記微細凹凸形状は、第一光透過部４の第二光透過部５に面する側面の全面に形成されている。第一光透過部４の第二光透過部５に面する光散乱面の算術平均粗さ（Ｒａ）としては、特に限定されないが、１．５μｍ以上４μｍ以下が好ましい。第一光透過部４の第二光透過部５に面する光散乱面の算術平均粗さ（Ｒａ）の上限値は、３．８μｍがより好ましく、３．５μｍがさらに好ましい。一方、第一光透過部４の第二光透過部５に面する光散乱面の算術平均粗さ（Ｒａ）の下限値は、１．７μｍがより好ましく、２μｍがさらに好ましい。上記光散乱面の算術平均粗さ（Ｒａ）が上記上限値を超える場合、均一な拡散光を出射するのが難しくなるおそれが高くなる。逆に、上記光散乱面の算術平均粗さ（Ｒａ）が上記下限値未満の場合、光線の拡散性が低下するおそれが高くなる。これに対し、可視光の波長（３６０ｎｍ〜７５０ｎｍ）との関係では、第一光透過部４の光散乱面がこの波長の数倍のサイズの微細凹凸形状を有する場合、この微細凹凸形状の界面において効果的に光線を拡散することができる。特に波長の５倍程度の微細な凹凸界面において、光線の拡散効果は極めて顕著にあらわれる。
【００４３】
第一光透過部４の第二光透過部５に面する光散乱面の十点平均粗さ（Ｒｚ）としては、特に限定されないが、１．５μｍ以上４０μｍ以下が好ましい。第一光透過部４の第二光透過部５に面する光散乱面の十点平均粗さ（Ｒｚ）の上限値は、３５μｍがより好ましく、３０μｍがさらに好ましい。一方、第一光透過部４の第二光透過部５に面する光散乱面の十点平均粗さ（Ｒｚ）の下限値は、１．７μｍがより好ましく、２μｍがさらに好ましい。上記光散乱面の十点平均粗さ（Ｒｚ）が上記上限値を超える場合、均一な拡散光を出射するのが難しくなるおそれが高くなる。逆に、上記光散乱面の十点平均粗さ（Ｒｚ）が上記下限値未満である場合、光線の拡散性が低下するおそれが高くなる。
【００４４】
第一光透過部４の第二光透過部５に面する光散乱面の十点平均粗さ（Ｒｚ）と算術平均粗さ（Ｒａ）との比（Ｒｚ／Ｒａ）としては、特に限定されないが、１以上２０以下が好ましい。第一光透過部４の第二光透過部５に面する光散乱面の十点平均粗さ（Ｒｚ）と算術平均粗さ（Ｒａ）との比（Ｒｚ／Ｒａ）の上限は、１５がより好ましく１０がさらに好ましい。上記光散乱面の十点平均粗さ（Ｒｚ）と算術平均粗さ（Ｒａ）との比（Ｒｚ／Ｒａ）が上記上限を超える場合、微細凹凸形状のムラが大きくなり、好適な拡散分布が得られないおそれが高くなる。これに対し、当該視野角制限シート１は、第一光透過部４の第二光透過部５に面する光散乱面の十点平均粗さ（Ｒｚ）を算術平均粗さ（Ｒａ）に対して上記範囲に抑えることによって、微細凹凸形状のムラを低減し、光拡散性を向上させることができる。
【００４５】
第一光透過部４の上記微細凹凸形状の凸部同士の平均ピッチは、５００ｎｍ以上５μｍ以下が好ましく、１μｍ以上３μｍ以下がより好ましい。上記凸部同士の平均ピッチが上記範囲外である場合、十分な光拡散機能が発揮されないおそれが高くなる。
【００４６】
第一光透過部４の厚み（Ｔ１）としては、特に限定されないが、一般的には光学機能層２の厚みと同一とされている。
【００４７】
（第二光透過部５）
第二光透過部５は、光線を透過させる必要があるので透明、特に無色透明の合成樹脂を主成分として形成されている。第二光透過部５の主成分の合成樹脂としては、特に限定されるものではないが、第一光透過部４の主成分と同様の合成樹脂が挙げられる。第二光透過部５に配合される添加剤としては、第一光透過部４に配合される添加剤と同様である。
【００４８】
第二光透過部５は、第一光透過部４に面する側面が微細凹凸形状を有する光散乱面として形成されている。第二光透過部５に形成される上記微細凹凸形状は、第二光透過部５の第一光透過部４に面する側面の全面に形成されている。第二光透過部５の第一光透過部４に面する光散乱面の算術平均粗さ（Ｒａ）としては、特に限定されないが、１．５μｍ以上４μｍ以下が好ましい。第二光透過部５の第一光透過部４に面する光散乱面の算術平均粗さ（Ｒａ）の上限値は、３．８μｍがより好ましく、３．５μｍがさらに好ましい。一方、第二光透過部５の第一光透過部４に面する光散乱面の算術平均粗さ（Ｒａ）の下限値は、１．７μｍがより好ましく、２μｍがさらに好ましい。上記光散乱面の算術平均粗さ（Ｒａ）が上記上限値を超える場合、均一な拡散光を出射するのが難しくなるおそれが高くなる。逆に、上記光散乱面の算術平均粗さ（Ｒａ）が上記下限値未満の場合、光線の拡散性が低下するおそれが高くなる。これに対し、可視光の波長（３６０ｎｍ〜７５０ｎｍ）との関係では、第二光透過部５の光散乱面がこの波長の数倍のサイズの微細凹凸形状を有する場合、この微細凹凸形状の界面において効果的に光線を拡散することができる。特に波長の５倍程度の微細な凹凸界面において、光線の拡散効果は極めて顕著にあらわれる。
【００４９】
第二光透過部５の第一光透過部４に面する光散乱面の十点平均粗さ（Ｒｚ）としては、特に限定されないが、１．５μｍ以上４０μｍ以下が好ましい。第二光透過部５の第一光透過部４に面する光散乱面の十点平均粗さ（Ｒｚ）の上限値は、３５μｍがより好ましく、３０μｍがさらに好ましい。一方、第二光透過部５の第一光透過部４に面する光散乱面の十点平均粗さ（Ｒｚ）の下限値は、１．７μｍがより好ましく、２μｍがさらに好ましい。上記光散乱面の十点平均粗さ（Ｒｚ）が上記上限値を超える場合、均一な拡散光を出射するのが難しくなるおそれが高くなる。逆に、上記光散乱面の十点平均粗さ（Ｒｚ）が上記下限値未満である場合、光線の拡散性が低下するおそれが高くなる。
【００５０】
第二光透過部５の第一光透過部４に面する光散乱面の十点平均粗さ（Ｒｚ）と算術平均粗さ（Ｒａ）との比（Ｒｚ／Ｒａ）としては、特に限定されないが、１以上２０以下が好ましい。第二光透過部５の第一光透過部４に面する光散乱面の十点平均粗さ（Ｒｚ）と算術平均粗さ（Ｒａ）との比（Ｒｚ／Ｒａ）の上限は、１５がより好ましく１０がさらに好ましい。第二光透過部５の第一光透過部４に面する光散乱面の十点平均粗さ（Ｒｚ）と算術平均粗さ（Ｒａ）との比（Ｒｚ／Ｒａ）が上記上限を超える場合、微細凹凸形状のムラが大きくなり、好適な拡散分布が得られないおそれが高くなる。これに対し、当該視野角制限シート１は、上記光散乱面の十点平均粗さ（Ｒｚ）を算術平均粗さ（Ｒａ）に対して上記範囲に抑えることによって、微細凹凸形状のムラを低減し、光拡散性を向上させることができる。
【００５１】
第二光透過部５の上記微細凹凸形状の凸部同士の平均ピッチは、５００ｎｍ以上５μｍ以下が好ましく、１μｍ以上３μｍ以下がより好ましい。上記凸部同士の平均ピッチが上記範囲外である場合、十分な光拡散機能が発揮されないおそれが高くなる。
【００５２】
第一光透過部４及び第二光透過部５の側面に形成される光散乱面の配設個数としては、特に限定されないが、光散乱面の垂直方向単位長さあたり２個／ｍｍ以上１００個／ｍｍ以下が好ましい。上記光散乱面の配設個数の上限は、７５個／ｍｍがより好ましく、５０個／ｍｍがさらに好ましい。一方、上記光散乱面の配設個数の下限は、１０個／ｍｍがより好ましく、２０個／ｍｍがさらに好ましい。上記光散乱面の配設個数が上記上限を超える場合、視野角が狭くなるとともに、光散乱面によって拡散される光線の量が増加し、正面方向からの視認者に対して表示される画像の鮮明度が低下するおそれが高くなる。逆に、上記光散乱面の配設個数が上記下限未満の場合、視野角が広くなり、斜め方向からの個人情報等の漏洩を好適に防止することができなくなるおそれが高くなる。なお、ここでいう光散乱面の個数は、対面する第一光透過部４の側面と第二光透過部５の側面とが共に光散乱面として形成されている場合、１個として計算するものとする。
【００５３】
第二光透過部５の厚み（Ｔ２）としては、特に限定されないが、一般的には光学機能層２の厚みと同一とされている。
【００５４】
第二光透過部５のヘイズ値としては、特に限定されないが、２０％以下が好ましく、１５％以下がより好ましく、１０％以下がさらに好ましい。第二光透過部５のヘイズ値が上記上限を超える場合、光線透過率が低下し、正面輝度が低くなるおそれが高くなる。
【００５５】
また、第二光透過部５の幅（Ｗ２）に対する厚み（Ｔ２）の比（Ｔ２／Ｗ２）としては、特に限定されないが、１以上８．５以下が好ましい。第二光透過部５の幅（Ｗ２）に対する厚み（Ｔ２）の比（Ｔ２／Ｗ２）の上限は、５がより好ましく、４がさらに好ましい。一方、第二光透過部５の幅（Ｗ２）に対する厚み（Ｔ２）の比（Ｔ２／Ｗ２）の下限は、１．５がより好ましく、２がさらに好ましい。厚み比（Ｔ２／Ｗ２）が上記上限を超える場合、第二光透過部５の表面側から出射される光線の量が減少するとともに、光散乱面によって拡散される光線が増加し、正面方向から視認した場合の画像の鮮明度が低下するおそれがある。逆に、厚み比（Ｔ２／Ｗ２）が上記下限未満である場合、視野角が広くなりすぎ、斜め方向から視認者に対して個人情報等が漏洩するおそれが高くなる。
【００５６】
第二光透過部５の屈折率（ｎ２）としては、第一光透過部４の屈折率（ｎ１）と相違していることが好ましい。これにより、光散乱面によって光線を好適に拡散させることができる。
【００５７】
また、第一光透過部４の屈折率（ｎ１）と第二光透過部５の屈折率（ｎ２）との差の絶対値（｜ｎ１−ｎ２｜）としては、特に限定されないが、０．１５以上が好ましく、０．３以上がより好ましく、０．４５以上がさらに好ましい。第一光透過部４の屈折率（ｎ１）と第二光透過部５の屈折率（ｎ２）との差の絶対値（｜ｎ１−ｎ２｜）が上記下限未満である場合、光線の拡散性が低下するおそれがある。
【００５８】
（保護層３）
保護層３は、光学機能層２の裏面に形成されている。保護層３は、光線を透過させる必要があるので透明、特に無色透明の合成樹脂を主成分として形成されている。保護層３の主成分として用いられる合成樹脂としては、特に限定されるものではないが、第二光透過部５の主成分として用いられる合成樹脂と同様の合成樹脂が挙げられる。また、保護層３には、第二光透過部５と同様の添加剤が添加されていてもよい。
【００５９】
保護層３の厚みとしては、特に限定されないが、１μｍ以上１０μｍ以下が好ましい。保護層３の厚みの上限値は、８μｍがより好ましく、６μｍがさらに好ましい。一方、保護層３の厚みの下限値は、２μｍがより好ましく、３μｍがさらに好ましい。保護層３の厚みが上記上限値を超える場合、当該視野角制限シート１の薄型化の要求に反するおそれが高くなる。逆に、保護層３の厚みが上記下限値未満である場合、当該視野角制限シート１の強度を好適に高めることができないおそれが高くなる。
【００６０】
保護層３の屈折率（ｎ４）としては、特に限定されないが、第二光透過部の屈折率（ｎ２）と等しいことが好ましい。当該視野角制限シート１は、保護層３の屈折率（ｎ４）が第二光透過部の屈折率（ｎ２）と等しいことによって、光線の損失を抑制し、正面輝度を向上させることができる。
【００６１】
〈光線の拡散作用〉
次に、図２を参照して、当該視野角制限シート１の裏面側から入射される光線の拡散作用について説明する。なお、図２において、光線Ｌは、保護層３の裏面側から入射され、正面方向にピークを示す分布の光線である。
【００６２】
まず、光線Ｌのうち、保護層３の裏面側から略垂直に入射される光線Ｌ１は、第二光透過部５を透過して、第二光透過部５の表面側から略垂直に出射される。
【００６３】
一方、光線Ｌのうち、光線Ｌ１とθの角度をもって保護層３の裏面側から入射される光線Ｌ２は、第二光透過部５から第一光透過部４に入射される際に、第二光透過部５と第一光透過部４との界面に形成される光散乱面で拡散される。さらに、光線Ｌ２の拡散光である光線Ｌ２’は、第二光透過部５から第一光透過部４に出射させる際に、第二光透過部５と第一光透過部４との界面に形成される光散乱面で拡散される。そして、光線Ｌ２の拡散光である光線Ｌ２’’は、光線Ｌ２及び光線Ｌ２’よりも強度が小さくなった状態で第二光透過部５の表面側から正面方向と所定の角度をもって出射される。
【００６４】
このように、当該視野角制限シート１は、保護層３から第二光透過部５に入射される光線のうち、第一光透過部４に入射されない光線によって正面方向に鮮明な画像を表示させることができるとともに、第一光透過部４に入射された光線については好適に拡散させたうえで出射させることで、斜め方向からの情報の漏洩を防止することができる。
【００６５】
〈製造方法〉
当該視野角制限シート１の製造方法としては、上記構造のものが形成できれば特に限定されるものではなく、種々の方法が採用される。当該視野角制限シート１の製造方法としては、例えば（１）第一光透過部４を形成する材料からなる層と、第二光透過部５を形成する材料からなる層とを積層した２層シート体を得る工程と、（２）複数の２層シート体を、第一光透過部４を形成する材料から成る層と第二光透過部５を形成する材料からなる層とが交互に配設されるように重畳して接着し、多層体構造体を得る工程と、（３）得られた多層構造体を重畳方向に切断し、光学機能層２を得る工程と、（４）光学機能層２の裏面に塗工によって保護層３を得る工程とを有している。
【００６６】
また、（１）第一光透過部４を形成する材料からなる層と、第二光透過部５を形成する材料からなる層とを積層した２層シート体得る工程としては、（ａ）第二光透過部５を形成する材料からなる層を形成し、この層の表面が所定の表面粗さになるようにマット加工を施す工程と、（ｂ）マット加工が施された第二光透過部５を形成する材料からなる層の表面に第一光透過部４を形成する材料からなる層を積層し、硬化させ、マット加工を施すことでこの表面に微細凹凸形状を形成する工程とを有している。
【００６７】
当該視野角制限シート１は、第一光透過部４と、第一光透過部４同士の間に配設される第二光透過部５とを有し、互いに対面する第一光透過部４の側面及び第二光透過部５の側面の少なくとも一方の側面が光散乱面として形成されているので、裏面側から所定の角度で入射された光線を上記光散乱面によって拡散させたうえで出射させることができる。一方、当該視野角制限シート１は、裏面側から第一光透過部４又は第二光透過部５に対して略垂直に入射された光線については光学機能層２の表面側から略垂直に出射させることができる。従って、当該視野角制限シート１は、正面方向からの視認者（ユーザ）に対しては鮮明な画像を表示させることができるとともに、斜め方向からの視認者に対しては表示される画像をぼやけさせることで個人情報等の漏洩を防止することができる。当該視野角制限シート１は、裏面側から所定の角度で入射された光線を光散乱面によって拡散させることで個人情報等の漏洩を防止するものであるから、正面輝度の低下を抑制することができる。
【００６８】
当該視野角制限シート１は、第二光透過部５のヘイズ値及び幅（Ｗ２）に対する厚み（Ｔ２）の比(Ｔ２／Ｗ２)を上記範囲とすることによって、第二光透過部５に入射される光線により正面輝度を向上させることができるとともに、視野角を好適に調整することができる。
【００６９】
当該視野角制限シート１は、第一光透過部４の側面と第二光透過部５の側面とが密接しているので、正面方向の画像の鮮明度及び斜め方向の画像のぼやけ度を好適に制御することができる。
【００７０】
当該視野角制限シート１は、光学機能層２の表面が面一に形成されているので、出射光線を容易に制御することができる。また、当該視野角制限シート１は、光学機能層２の厚みを一定に保ち、使用性及び光学的均一性を向上させることができる。
【００７１】
当該視野角制限シート１は、光学機能層２の裏面が面一に形成されているので、入射光線を容易に制御することができる。また、当該視野角制限シート１は、光学機能層２の厚みを一定に保ち、使用性及び光学的均一性を向上させることができる。
【００７２】
当該視野角制限シート１は、光学機能層２の一方の面側に形成される保護層３を有しているので、強度、形状安定性等を向上させることができる。
【００７３】
［第二実施形態］
〈視野角制限シート１１〉
図３の視野角制限シート１１は、光学機能層１２と、保護層３とを有している。本実施形態における保護層３は、図１の視野角制限シート１と同様のため、同一番号を付して説明を省略する。
【００７４】
（光学機能層１２）
光学機能層１２は、多条状に配設される複数の断面矩形の第一光透過部１３と、多条状に配設される複数の断面矩形の第二光透過部１４とを有している。光学機能層１２は、第一光透過部１３が間隔をおいて略平行に配設され、第一光透過部１３同士の間に第二光透過部１４が配設されている。光学機能層１２の表面及び裏面は、面一に形成されている。光学機能層１２は、第一光透過部１３の側面と第二光透過部１４の側面とが密接して形成されている。光学機能層１２の厚みは、図１の光学機能層２の厚みと同様である。
【００７５】
光学機能層１２における第一光透過部１３の占める表面積としては、５％以上４０％以下が好ましい。光学機能層１２における第一光透過部１３の占める表面積の上限は、３０％がより好ましく、２０％がさらに好ましい。一方、光学機能層１２における第一光透過部１３の占める表面積の下限は、１０％がより好ましく、１５％がさらに好ましい。第一光透過部１３の占める表面積が上記上限を超える場合、正面方向からの視認者に対して鮮明な画像を表示させることができないおそれが高くなる。逆に、第一光透過部１３の占める表面積が上記下限未満である場合、斜め方向からの個人情報の漏洩を好適に防止できないおそれが高くなる。
【００７６】
（第一光透過部１３）
第一光透過部１３は、光拡散剤１５と、樹脂製マトリックス１６とを有している。光拡散剤１５は、マトリックス１６によって囲繞されている。マトリックス１６を形成する合成樹脂としては、特に限定されないが、第一光透過部４の主成分の合成樹脂と同様の合成樹脂が挙げられる。第一光透過部１３には、第一光透過部４と同様の光散乱面が形成されている。
【００７７】
マトリックス１６は、顔料を分散含有しているとよい。マトリックス１６が分散含有する顔料は、特に限定されるものではなく、白色顔料、黒色顔料、青色顔料、赤色顔料等が挙げられる。マトリックス１６が分散含有する顔料は、無機顔料であっても有機顔料であってもよいが、耐光性等に優れる無機顔料が好適に用いられる。
【００７８】
上記白色顔料としては、特に限定されるものではなく、炭酸カルシウム、酸化チタン、酸化亜鉛、炭酸鉛、硫酸バリウム、酸化シリコン、酸化アルミニウム等が挙げられる。
【００７９】
上記黒色顔料としては、特に限定されるものではなく、カーボンブラック、黒色酸化鉄等が挙げられる。
【００８０】
上記青色顔料としては、特に限定されるものではなく、コバルトブルー、ウルトラマリン、プルシアンブルー、ターコイズブルー、マンガニーズブルー、フタロシアニンブルー等が挙げられる。
【００８１】
上記赤色顔料としては、特に限定されるものではなく、べんがら（酸化鉄赤）、カドミウムレッド、モリブデンオレンジ等が挙げられる。
【００８２】
上記顔料の平均粒子径としては、特に限定されないが、１００ｎｍ以上３０μｍ以下が好ましい。上記顔料の平均粒子径の上限値は、３μｍがより好ましく、１μｍがさらに好ましい。一方、上記顔料の平均粒子径の下限値は、２００ｎｍがより好ましく、３００ｎｍがさらに好ましい。上記顔料の平均粒子径が上記上限値を超える場合、顔料によって奏される諸特性効果が低下するおそれがある。逆に、上記顔料の平均粒子径が上記下限値未満の場合、顔料の分散性が低下するおそれがある。なお、本発明における平均粒子径は、倍率１０００倍の電子顕微鏡において観測される粒子から無作為に抽出した３０個の粒子の粒子径を平均したものをいう。また、粒子径は、フェレー径（一定方向の平行線で投影像を挟んだときの間隔）で定義する。
【００８３】
上記顔料のマトリックス１６を形成する合成樹脂に対する含有量としては、特に限定されないが、５質量部以上３０質量部以下が好ましい。上記顔料の上記合成樹脂に対する含有量の上限値は、２５質量部がより好ましく、２０質量部がさらに好ましい。一方、上記顔料の上記合成樹脂に対する含有量の下限値は、７質量部がより好ましく、１０質量部がさらに好ましい。上記顔料の含有量が上記上限値を超える場合、第一光透過部１３によって奏される光拡散効果が低下するおそれが高くなる。逆に、上記顔料の含有量が上記下限値未満である場合、顔料によって奏される諸特性効果が低下するおそれがある。
【００８４】
当該視野角制限シート１１は、マトリックス１６が顔料を分散含有することによって、第一光透過部１３の耐熱性、熱的寸法安定性、耐候性、強度、経年劣化防止性等を向上させることができる。また、当該視野角制限シート１１は、マトリックス１６が白色顔料を分散含有することで、第二光透過部１４から第一光透過部１３に向けられた光線を第二光透過部１４に反射させることができる。その結果、当該視野角制限シート１１は、正面方向の輝度を向上させることができる。また、当該視野角制限シート１１は、マトリックス１６に黒色顔料を分散含有させることで、第一光透過部１３の光線吸収性を高めることができる。その結果、当該視野角制限シート１１は、第一光透過部１３に入射した光線を一定程度吸収させ、斜め方向からの視認性を低下させることができる。
【００８５】
また、マトリックス１６は、屈折率を向上されるため、例えば、ＺｎＯ、ＴｉＯ２、ＣｅＯ2、ＳｎＯ2、ＩＴＯ、Ｃｓ0.33ＷＯ3、Ａｌ2Ｏ3、Ｌａ2Ｏ3、ＺｒＯ2、Ｙ2Ｏ3等の高屈折率微粒子を含んでいてもよい。上記高屈折率微粒子の平均粒子径としては、特に限定されないが、１ｎｍ以上１００ｎｍ以下が好ましい。上記高屈折率微粒子の平均粒子径の上限値は、８０ｎｍがより好ましく、６０ｎｍがさらに好ましい。一方、上記高屈折率微粒子の平均粒子径の下限値は、５ｎｍがより好ましく、１０ｎｍがさらに好ましい。上記高屈折率微粒子の平均粒子径が上記上限値を超える場合、第一光透過部１３の透明性が低下するおそれがある。逆に、上記高屈折率微粒子の平均粒子径が上記下限値未満の場合、高屈折率微粒子の分散性が低下するおそれがある。
【００８６】
上記高屈折率微粒子のマトリックス１６を形成する合成樹脂に対する含有量としては、特に限定されないが、例えば１０質量％以上６０質量％以下とすることができる。
【００８７】
なお、マトリックス１６は、第一光透過部４と同様の添加剤が配合されていてもよい。
【００８８】
第一光透過部１３の厚み（Ｔ１）は、第一光透過部４の厚み（Ｔ１）と同様である。また、第一光透過部１３の幅（Ｗ１）としては、特に限定されないが、３．５μｍ以上１００μｍ以下が好ましい。第一光透過部１３の幅（Ｗ１）の上限値は、７５μｍがより好ましく、５０μｍがさらに好ましい。一方、第一光透過部１３の幅（Ｗ１）の下限値は、５μｍがよりこのましく、７μｍがさらに好ましい。第一光透過部１３の幅（Ｗ１）が上記上限値を超える場合、第一光透過部１３によって拡散される光線の量が多くなり正面方向からの画像の視認性が低下するおそれが高くなる。逆に、第一光透過部１３の幅（Ｗ１）が上記下限値未満である場合、第一光透過部１３の光散乱面の算術平均粗さが小さくなり、光線を好適に拡散できないおそれが高くなる。
【００８９】
第一光透過部１３の幅（Ｗ１）に対する厚み（Ｔ１）の比（Ｔ１／Ｗ１）としては、特に限定されないが、４以上４０以下が好ましい。第一光透過部１３の幅（Ｗ１）に対する厚み（Ｔ１）の比（Ｔ１／Ｗ１）の上限は、３５がより好ましく、３０がさらに好ましい。一方、第一光透過部１３の幅（Ｗ１）に対する厚み（Ｔ１）の比（Ｔ１／Ｗ１）の下限は、７がより好ましく、１０がさらに好ましい。第一光透過部１３の幅（Ｗ１）に対する厚み（Ｔ１）の比（Ｔ１／Ｗ１）が上記範囲外である場合、正面方向からの視認者に対して鮮明な画像を表示させることができないおそれが高くなる。
【００９０】
第一光透過部１３同士の配設幅としては、特に限定されないが、６μｍ以上４００μｍ以下が好ましい。第一光透過部１３同士の配設幅の上限値は、３００μｍがより好ましく、２００μｍがさらに好ましい。一方、第一光透過部１３同士の配設幅の下限値は、５０μｍがより好ましく、１００μｍがさらに好ましい。第一光透過部１３同士の配設幅が上記上限値を超える場合、斜め方向からの個人情報の漏洩を好適に防止できないおそれが高くなる。逆に、第一光透過部１３同士の配設幅が上記下限未満である場合、正面方向からの視認者に対して鮮明な画像を表示させることができなくなるおそれが高くなる。
【００９１】
マトリックス１６の屈折率（ｎ５）としては、特に限定されないが、第二光透過部１４の屈折率（ｎ２）よりも大きいことが好ましい。これにより、第二光透過部１４から第一光透過部１３に入射された光線が正面方向と比較的近いピークを有する光線として出射されるのを好適に防止することができ、ひいては正面方向からの視認者に対して表示される画像の鮮明度を向上させることができる。また、この場合、マトリックス１６の屈折率（ｎ５）としては、１．５７以上が好ましく、１．６以上がより好ましく、１．６３以上がさらに好ましい。また、マトリックス１５の屈折率（ｎ５）と第二光透過部１４の屈折率（ｎ２）の差（ｎ５−ｎ２）としては、特に限定されないが、０．１５以上が好ましく、０．３以上がより好ましく、０．４５以上がさらに好ましい。
【００９２】
光拡散剤１５は、第一光透過部１３中に略等密度で含有されている。光拡散剤１５は、光線を拡散させる性質を有する粒子であり、無機フィラーと有機フィラーに大別される。無機フィラーとしては、例えばシリカ、水酸化アルミニウム、酸化アルミニウム、酸化亜鉛、硫化バリウム、マグネシウムシリケート、又はこれらの混合物を用いることができる。有機フィラーの材料としては、例えばアクリル樹脂、アクリロニトリル樹脂、ポリオレフィン樹脂、ポリウレタン、ポリ塩化ビニル、ポリスチレン、ポリアクリロニトリル、ポリアミド等を用いることができる。なかでも、透明性が高いアクリル樹脂が好ましく、ポリメチルメタクリレート（ＰＭＭＡ）が特に好ましい。
【００９３】
光拡散剤１５の形状としては、特に限定されるものではなく、例えば球状、紡錘形状、針状、棒状、立方状、板状、鱗片状、繊維状などが挙げられ、なかでも光拡散性に優れる球状のビーズが好ましい。
【００９４】
光拡散剤１５の平均粒子径としては、特に限定されないが、１μｍ以上５０μｍ以下が好ましい。光拡散剤１５の平均粒子径の上限値は、２０μｍがより好ましく、１５μｍがさらに好ましい。一方、光拡散剤１５の平均粒子径の下限値は、２μｍがより好ましく、５μｍがさらに好ましい。光拡散剤１５の平均粒子径が上記上限値を超える場合、第一光透過部１３の幅が大きくなるおそれがある。逆に、光拡散剤１５の平均粒子径が上記下限値未満である場合、光拡散剤１５の分散性が低下するおそれがある。
【００９５】
光拡散剤１５のマトリックス１６に対する質量比としては、特に限定されないが、０．１以上２以下が好ましい。光拡散剤１５のマトリックス１６に対する質量比の上限は、１がより好ましく、０．５がさらに好ましい。一方、光拡散剤１５のマトリックス１６に対する質量比の下限は、０．２がより好ましく、０．３がさらに好ましい。光拡散剤１５のマトリックス１６に対する質量比が上記上限を超える場合、光拡散剤１５を固定する効果が低下するおそれがある。逆に、光拡散剤１５のマトリックス１６に対する質量比が上記下限未満である場合、光拡散性が不十分となるおそれがある。
【００９６】
マトリックス１６の屈折率（ｎ５）と光拡散剤１５の屈折率（ｎ３）との差の絶対値（｜ｎ５−ｎ３｜）としては、特に限定されないが、０．０３以上が好ましく、０．０６以上がより好ましく、０．０９以上がさらに好ましい。マトリックス１６の屈折率（ｎ５）と光拡散剤１５の屈折率（ｎ３）との差の絶対値（｜ｎ５−ｎ３｜）が上記下限未満である場合、第一光透過部１３に入射した光線をマトリックス１６と光拡散剤１５との界面で好適に拡散することができないおそれがある。
【００９７】
また、マトリックス１６の屈折率（ｎ５）は、光拡散剤１５の屈折率（ｎ３）よりも大きい方が好ましい。当該視野角制限シート１１は、マトリックス１６の屈折率（ｎ５）が光拡散剤１５の屈折率（ｎ３）よりも大きいことによって、マトリックス１６と光拡散剤１５との界面によって光線を好適に拡散することができる。
【００９８】
第一光透過部１３のヘイズ値としては、特に限定されないが、３０％以上が好ましく、４０％以上がより好ましく、５０％以上がさらに好ましい。第一光透過部１３のヘイズ値が上記下限未満である場合、光拡散機能が低下するおそれが高くなる。
【００９９】
（第二光透過部１４）
第二光透過部１４は、光線を透過させる必要があるので透明、特に無色透明の合成樹脂を主成分として形成されている。第二光透過部１４の主成分の合成樹脂としては、特に限定されるものではないが、第二光透過部５の主成分と同様の合成樹脂が挙げられる。第二光透過部１４に添加される添加剤としては、第二光透過部５に添加される添加剤と同様である。また、第二光透過部１４には、第二光透過部５と同様の光散乱面が形成されている。第二光透過部１４の厚み（Ｔ２）、幅（Ｗ２）に対する厚み（Ｔ２）の比（Ｔ２／Ｗ２）、ヘイズ値については、第二光透過部５と同様である。
【０１００】
第二光透過部１４の幅（Ｗ２）の第一光透過部１３の幅（Ｗ１）に対する比（Ｗ２／Ｗ１）としては、特に限定されないが、１．５以上１５以下が好ましい。第二光透過部１４の幅（Ｗ２）の第一光透過部１３の幅（Ｗ１）に対する比（Ｗ２／Ｗ１）の上限は、１２がより好ましく、１０がさらに好ましい。一方、第二光透過部１４の幅（Ｗ２）の第一光透過部１３の幅（Ｗ１）に対する比（Ｗ２／Ｗ１）の下限は、３がより好ましく、５がさらに好ましい。第二光透過部１４の幅（Ｗ２）の第一光透過部１３の幅（Ｗ１）に対する比（Ｗ２／Ｗ１）が上記上限を超える場合、視野角が広くなりすぎるおそれがある。逆に、第二光透過部１４の幅（Ｗ２）の第一光透過部１３の幅（Ｗ１）に対する比（Ｗ２／Ｗ１）が上記下限未満である場合、光散乱面によって拡散される光線によって正面方向から視認した場合の画像の鮮明度が低下するおそれが高くなる。
【０１０１】
〈製造方法〉
当該視野角制限シート１１の製造方法としては、上記構造のものが形成できれば特に限定されるものではなく、例えば、視野角制限シート１と同様の方法が挙げられる。
【０１０２】
当該視野角制限シート１１は、第一光透過部１３が光拡散剤１５と樹脂製マトリックス１６とを有しているので、第一光透過部１３による光拡散性を著しく向上させることができ、ひいては正面方向からの視認者に対して表示される画像の鮮明度を向上させるとともに、斜め方向からの個人情報の漏洩を好適に防止することができる。
【０１０３】
［第三実施形態］
〈タッチパネル２１〉
図４のタッチパネル２１は、基板２２と、透明導電層２３と、粘着層２４と、基板２５と、視野角制限シート１とを有している。本実施形態における視野角制限シート１は、図１の視野角制限シート１と同様のため、同一番号を付して説明を省略する。タッチパネル２１は、表示パネル（図示せず）の表面側に配設されている。タッチパネル２１は、表示パネルから出射される画像光を表面側に出射する。タッチパネル２１は、静電容量方式のタッチパネルとして形成されている。
【０１０４】
基板２２は透明な絶縁性材料から形成されている。具体的には、基板２２はガラス基板として形成されている。透明導電層２３は、透明性と導電性とを有する導電性材料によって形成されている。透明導電層２３の形成材料としては、例えば無機系金属や有機導電高分子が挙げられる。無機系金属としては、例えば金、銀、銅、白金、ニッケル、酸化錫、酸化インジウム錫（ＩＴＯ）が挙げられる。有機導電高分子としては、例えばポリアニリン、ポリチオフェン、ポリピロール、ポリキノキサリン等を用いた有機導電性組成物が挙げられる。なかでも、光学特性、外観及び導電性が良好なＩＴＯ又はポリチオフェン系材料が好ましい。粘着層２４は、透明導電層２３と基板２５とを接着している。粘着層２４の形成材料としては、特に限定されないが、アクリル系樹脂、ウレタン系樹脂等の公知の粘着性樹脂が挙げられる。基板２５は透明な絶縁性基板であって、基板２２と同様にガラス基板として形成されている。視野角制限シート１は、基板２５の裏面に積層されている。視野角制限シート１は、粘着層（図示せず）によって基板２５の裏面に積層されている。視野角制限シート１は、第一光透過部４の長手方向が、タッチパネル２１の上下方向と平行になるように配置されている。
【０１０５】
当該視野角制限シート１は、表示パネルの表面側に配設されているので、正面方向からの視認者に対して鮮明な画像を表示させるとともに、斜め方向からの個人情報等の漏洩を好適に防止することができる。
【０１０６】
当該タッチパネル２１は、当該視野角制限シート１の裏面側から所定の角度で入射された光線を光散乱面によって拡散させたうえで出射させることができる。一方、当該タッチパネル２１は、当該視野角制限シート１の裏面側から第一光透過部４又は第二光透過部５に対して略垂直に入射された光線については光学機能層２の表面側から略垂直に出射させることができる。従って、当該タッチパネル２１は、正面方向からの視認者（ユーザ）に対しては鮮明な画像を表示させることができるとともに、斜め方向からの視認者に対しては表示される画像をぼやけさせることで個人情報等の漏洩を防止することができる。
【０１０７】
［第四実施形態］
〈タッチパネル３１〉
図５のタッチパネル３１は、視野角制限シート１と、基板２２と、透明導電層２３と、粘着層２４と、基板２５とを有している。本実施形態において、視野角制限シート１は、図１の視野角制限シート１と同様であり、基板２２、透明導電層２３、粘着層２４及び基板２５は、図４のタッチパネル２１と同様のため、同一番号を付して説明を省略する。タッチパネル３１は、表示パネル（図示せず）の表面側に配設されている。タッチパネル３１は、表示パネルから出射される画像光を表面側に出射する。タッチパネル３１は、静電容量方式のタッチパネルとして形成されている。視野角制限シート１は、第一光透過部４の長手方向が、タッチパネル４１の上下方向と平行になるように配置されている。
【０１０８】
当該視野角制限シート１は、表示パネルの表面側に配設されているので、正面方向からの視認者に対して鮮明な画像を表示させるとともに、斜め方向からの個人情報等の漏洩を好適に防止することができる。
【０１０９】
当該タッチパネル３１は、当該視野角制限シート１の裏面側から所定の角度で入射された光線を光散乱面によって拡散させたうえで出射させることができる。一方、当該タッチパネル３１は、当該視野角制限シート１の裏面側から第一光透過部４又は第二光透過部５に対して略垂直に入射された光線については光学機能層２の表面側から略垂直に出射させることができる。従って、当該タッチパネル３１は、正面方向からの視認者（ユーザ）に対しては鮮明な画像を表示させることができるとともに、斜め方向からの視認者に対しては表示される画像をぼやけさせることで個人情報等の漏洩を防止することができる。
【０１１０】
［他の実施形態］
なお、本発明の視野角制限シート及びこの視野角制限シートを備えるフラットパネルディスプレイは、上記態様の他、種々の変更、改良を施した態様で実施することができる。
【０１１１】
例えば、当該視野角制限シートは、保護層を有していなくてもよく、また保護層が光学機能層の表面側に設けられていてもよく、保護層が光学機能層の表裏両面側に設けられていてもよい。
【０１１２】
当該視野角制限シートは、第二光透過部が必ずしも合成樹脂から形成されている必要はない。当該視野角制限シートは、第二光透過部が空気から形成される中空部であってもよい。また、当該視野角制限シートは、第一光透過部の側面及び第二光透過部の側面が密接していなくてもよい。当該視野角制限シートは、第一光透過部の側面と第二光透過部の側面との間に隙間がある場合でも、第一光透過部の側面及び第二光透過部の側面とこの隙間との界面で光線を屈折させることができ、ひいては拡散性を向上させることができる。
【０１１３】
当該視野角制限シートは、光学機能層の表面及び／又は裏面が面一である必要はない。当該視野角制限シートは、例えば、第一光透過部と第二光透過部の厚みを変更することによって、正面方向からの視認性や視野角等を調整することができる。当該視野角制限シートは、保護層と光学機能層との間に他の層が積層されていてもよい。当該視野角制限シートは、第一光透過部同士が必ずしも等間隔で配置されていなくてもよい。
【０１１４】
当該視野角制限シートは、必ずしも、対面する第一光透過部の側面及び第二光透過部の側面の両方が光散乱面として形成されている必要はなく、いずれかの側面のみが光散乱面として形成されていてもよい。また、当該視野角制限シートは、第一光透過部及び第二光透過部の側面の全面に微細凹凸形状が形成されている必要はない。
【０１１５】
当該視野角制限シートは、第一光透過部及び第二光透過部と交叉して設けられる視野角制御板を有していてもよい。当該視野角制限シートは、かかる視野角制御板を有することによって、斜め方向から個人情報が漏洩するおそれを著しく低減することができる。
【０１１６】
当該視野角制限シートは、静電容量方式の他、抵抗膜方式や電磁誘導方式等、種々のタッチパネルに配設することができる。当該視野角制限シートは、タッチパネルに配設される場合であっても、必ずしも第一光透過部の長手方向とタッチパネルの上下方向とが平行になるように配置される必要はない。当該視野角制限シートは、必ずしもタッチパネルに取り付けて用いられる必要はなく、液晶ディスプレイやプラズマディスプレイ、有機ＥＬディスプレイ等、種々のフラットパネルディスプレイの表示パネル表面側に配設することができる。
【実施例】
【０１１７】
以下、実施例に基づき本発明を詳述するが、この実施例の記載に基づいて本発明が限定的に解釈されるものではない。
【０１１８】
［実施例１］
アクリル系樹脂をＴダイに供給し、押出成形して第二光透過部を形成するシート状の押出体を成形した。さらに、表１の表面粗さ（Ｒａ）（Ｒｚ）になるように、この押出体の両面にマット加工を施した。一方、多官能ウレタン（メタ）アクリレートと錫含有酸化インジウム粒子（ＩＴＯ）（平均一次粒径３０ｎｍ）とを含む塗布液（多官能ウレタン（メタ）アクリレート／錫含有酸化インジウム粒子＝９／４１）を調製し、上記押出体表面に塗工し、８０℃で乾燥させたうえ、紫外線を照射して硬化させた。さらに、この塗工層の表面にマット加工を施して、第一光透過部及び第二光透過部からなる積層体を作製した。次に、この積層体と同様の構成を有する積層体を順次積層接着していき、第一光透過部と第二光透過部とが順次積層された多層体を作製した。そして、この多層体を所定の間隔で垂直方向に切断したうえ、一方の切断面（裏面側）に第二光透過部と同様の材料からなる平均厚み５μｍの保護層を積層して実施例１の視野角制限シートを得た。
【０１１９】
［実施例２〜８］
幅（Ｗ１）に対する厚み（Ｔ１）の比（Ｔ１／Ｗ１）、及び幅（Ｗ２）に対する厚み（Ｔ２）の比（Ｔ２／Ｗ２）を表１に示す値とした以外は実施例１と同様にして実施例２〜８の視野角制限シートを得た。
【０１２０】
［実施例９］
アクリル系樹脂をＴダイに供給し、押出成形して第二光透過部を形成するシート状の押出体を成形した。さらに、表１の表面粗さ（Ｒａ）（Ｒｚ）になるように、この押出体の両面にマット加工を施した。一方、多官能ウレタン（メタ）アクリレート及び錫含有酸化インジウム粒子（ＩＴＯ）（平均一次粒径３０ｎｍ）を含むマトリックス形成材料と、このマトリックス形成材料に対して質量比０．５の割合で含有される光拡散剤（アクリル系樹脂ビーズ（平均粒径３μｍ））とを含む塗布液を調製し、上記押出体表面に塗工し、８０℃で乾燥させたうえ、紫外線を照射して硬化させた。さらに、この塗工層の表面にマット加工を施して、第一光透過部及び第二光透過部からなる積層体を作製した。次に、この積層体と同様の構成を有する積層体を順次積層接着していき、第一光透過部と第二光透過部とが順次積層された多層体を作製した。そして、この多層体を所定の間隔で垂直方向に切断したうえ、一方の切断面（裏面側）に第二光透過部と同様の材料からなる平均厚み５μｍの保護層を積層して実施例９の視野角制限シートを得た。
【０１２１】
幅（Ｗ１）に対する厚み（Ｔ１）の比（Ｔ１／Ｗ１）、及び幅（Ｗ２）に対する厚み（Ｔ２）の比（Ｔ２／Ｗ２）を表１に示す値とした以外は実施例９と同様にして実施例１０〜１６の視野角制限シートを得た。
【０１２２】
［比較例１］
アクリル系樹脂をＴダイに供給し、押出成形して第二光透過部を形成する押出体を成形した。さらに、表１の表面粗さ（Ｒａ）（Ｒｚ）になるように、この押出体の両面にマット加工を施した。一方、多官能ウレタン（メタ）アクリレートと、この多官能ウレタン（メタ）アクリレート１００質量部に対して３５質量部の割合で含有される光吸収材料としての黒色顔料（カーボンブラック）とを含む塗布液を調製し、上記押出体表面に塗工し、８０℃で乾燥させたうえ、紫外線を照射して硬化させた。さらに、この塗工層の表面にマット加工を施して、第一光透過部及び第二光透過部からなる積層体を作製した。次に、この積層体と同様の構成を有する積層体を順次積層接着していき、第一光透過部と第二光透過部とが順次積層された多層体を作製した。そして、この多層体を所定の間隔で垂直方向に切断したうえ、一方の切断面（裏面側）に第二光透過部と同様の材料からなる平均厚み５μｍの保護層を積層して比較例１の視野角制限シートを得た。
【０１２３】
［特性の評価］
上記実施例１〜１６と比較例１の視野角制限シートをそれぞれタッチパネルの基板の表面に積層し、視野角特性及び輝度特性について評価した。また、比較例２として、何れの視野角制限シートも用いない場合の視野角特性及び輝度特性について評価した。
【０１２４】
視野角特性の評価は、バックライトを照射した際の斜め方向（０°±４５°）の目視による表示画像の視認性によって、
（ａ）表示画像が判別できない場合を◎
（ｂ）表示画像が殆ど判別できない場合を○
（ｃ）表示画像がなんとなく判別できる場合を△
（ｄ）表示画像がはっきり判別できる場合を×
として評価した。その結果を表１に示す。
【０１２５】
輝度特性の評価は、バックライトを照射した際の正面方向（０°±５°）の目視による表示画像の視認性によって、
（ａ）輝度の低下が感じられず、かつ表示画面が鮮明に視認される場合を◎
（ｂ）輝度の低下は感じられないが、表示画面が少しぼやけて視認される場合を△、
（ｃ）輝度の低下が感じられる場合を×
として評価した。その結果を表１に示す。
【０１２６】
【表１】
2013228713.tif 000003
【０１２７】
上記表１に示すように、実施例１〜１６の視野角制限シートを用いた場合、比較例１、２の場合と対比して、視野角特性を満たすと共に、輝度特性にも優れている。
【産業上の利用可能性】
【０１２８】
以上のように、本発明の視野角制限シート及びこの視野角制限シートを備えるフラットパネルディスプレイは、斜め方向からの個人情報等の漏洩を好適に防止することができるとともに、正面輝度の低下を抑制することができ、液晶ディスプレイやプラズマディスプレイ、有機ＥＬディスプレイ等、種々のフラットパネルディスプレイに好適に使用することができる。
【符号の説明】
【０１２９】
１  視野角制限シート
２  光学機能層
３  保護層
４  第一光透過部
５  第二光透過部
１１  視野角制限シート
１２  光学機能層
１３  第一光透過部
１４  第二光透過部
１５  光拡散剤
１６  マトリックス
２１  タッチパネル
２２  基板
２３  透明導電層
２４  粘着剤
２５  基板
３１  タッチパネル
【図１】
2013228713.tif 000004
【図２】
2013228713.tif 000005
【図３】
2013228713.tif 000006
【図４】
2013228713.tif 000007
【図５】
2013228713.tif 000008